(57)【要約】【課題】取付作業が容易なレール固定部構造を提供する。【解決手段】チェストを木製のチェスト本体と合成樹脂製の引出で構成し、引出の引出本体２１を矩形容器状に形成する。容器本体２１の両側部に、引出をチェスト本体にスライド自在に支持する金属製のレールを固定し、レール下縁部に、引出側へ向けて延出するフランジを設ける。容器本体２１の上縁部に、外側へ向けて延出する外方延出面４５及び延出面４５から下方へ向けて延出する下方延出面４６からなる側方折返し部５１と後方折返し部５２を設ける。側方折返し部５１及び後方折返し部５２の両端に、下方に延出する上リブ５４を設けるとともに側面４３に上下方向に延在する下リブ５５を設け、上リブ５４と下リブ５５とでレールのフランジを上下から挟めるように構成する。【選択図】          図５
2004283288.tif 000002
【特許請求の範囲】
【請求項１】
本体へ引き出し自在に収容される合成樹脂製の引出に、当該引出を前記本体にスライド自在に支持する金属製のレールが固定されるレール固定部構造において、
前記レールに、前記引出側へ向けて延出するフランジを設ける一方、前記引出の側面に、前記フランジを上下から挟み込むリブを設けたことを特徴とするレール固定部構造。
【請求項２】
前記フランジの下面を支持するリブの上端部に、前記フランジに沿って延在する支持面を設けたことを特徴とする請求項１記載のレール固定部構造。
【請求項３】
前記レールの前記フランジを前記リブに挟み込んだ状態で、前記フランジを挿通したネジが螺入される螺入部を前記引出に設けたことを特徴とする請求項１又は２記載のレール固定部構造。
【発明の詳細な説明】
【０００１】
【発明の属する技術分野】
本発明は、衣類などを収容する引出のレール固定部構造に関する。
【０００２】
【従来の技術】
従来、衣類などを収納する際には、チェストが用いられていた。
【０００３】
このチェストは、合成樹脂製のチェスト本体と、該チェスト本体に引き出し自在に収容される合成樹脂製の引出とによって構成されている。
【０００４】
このようなチェストにおいてチェスト本体を木製に変更する場合、合成樹脂製の引出が木製のチェスト本体に摺接することとなる。これにより、引出の滑りが悪化し、操作性が低下するという問題があった。
【０００５】
これを解消するために、チェスト本体に支持される引出部位を、金属製のレールで構成することが考えられる。
【０００６】
【発明が解決しようとする課題】
しかしながら、このような引出においては、合成樹脂製の引出に金属製のレールを取り付けなければならず苦労を要した。
【０００７】
本発明は、このような従来の課題に鑑みてなされたものであり、取付作業が容易なレール固定部構造を提供することを目的とするものである。
【０００８】
【課題を解決するための手段】
前記課題を解決するために本発明の請求項１のレール固定部構造にあっては、本体へ引き出し自在に収容される合成樹脂製の引出に、当該引出を前記本体にスライド自在に支持する金属製のレールが固定されるレール固定部構造において、前記レールに、前記引出側へ向けて延出するフランジを設ける一方、前記引出の側面に、前記フランジを上下から挟み込むリブを設けた。
【０００９】
すなわち、合成樹脂製の引出に金属製のレールを固定する際には、該レールに設けられたフランジを引出に設けられたリブに挿入し、該リブで前記フランジを上下から挟み込む。これにより、前記レールは引出に係止される。
【００１０】
また、請求項２のレール固定部構造においては、前記フランジの下面を支持するリブの上端部に、前記フランジに沿って延在する支持面を設けた。
【００１１】
すなわち、レールに設けられたフランジを上下から挟み込むリブにおいて、前記フランジの下面を支持するリブの上端部には、前記フランジに沿って延在する支持面が設けられている。これにより、フランジの固定状態の安定化が図られる。
【００１２】
さらに、請求項３のレール固定部構造では、前記レールの前記フランジを前記リブに挟み込んだ状態で、前記フランジを挿通したネジが螺入される螺入部を前記引出に設けた。
【００１３】
すなわち、引出には、前記フランジを挿通したネジが螺入される螺入部が設けられており、前記ネジを前記螺入部に螺入することで、前記レールのフランジは、引出のリブに挟み込まれた状態で固定される。
【００１４】
【発明の実施の形態】
以下、本発明の一実施の形態を図に従って説明する。図１は、本実施の形態にかかるレール固定部構造を備えたチェスト１を示す図であり、該チェスト１は、衣類などを収納するものである。
【００１５】
このチェスト１は、木製のチェスト本体１１と合成樹脂製の引出１２，・・・とによって構成されている。前記チェスト本体１１は、図１及び図２に示すように、脚部１３，・・・が設けられれた底板１４と、該底板１４の両側部に立設された側板１５，１５と、前記底板１４の奥側に立設された背板１６と、前記側板１５，１５及び前記背板１６の上端に設けられた天板１７とによって矩形状に形成されている。このチェスト本体１１の前方開口部には、三段の前記引出１２，・・・が引き出し自在に収容されており、この引出１２内に物品を収容して収納できるように構成されている。
【００１６】
前記引出１２は、矩形容器状の引出本体２１と、該引出本体２１の爪部２１ａ２１ａ（図４参照）に係止された状態で取り付けられる前板２２とからなり、前記引出本体２１及び前記前板２２は、半透明に形成され内部が確認できるように構成されている。
【００１７】
この前板２２は、水色の透明に形成されており、前記引出本体２１は、白色の透明に形成されている。なお、前記前板２２及び引出本体２１は、半透明のみならず、透明に形成したり、不透明に形成しても良く、不透明の場合には、着色することもできる。このとき、前記前板２２及び前記引出本体２１は、別体で構成されているため、前記前板２２と前記引出本体２１と同色に設定したり、異なる色に設定することができる。これにより、外観品質を高めることができるとともに、バリエーションの増大を図ることができる。
【００１８】
前記前板２２の下部には、凹部２３が設けられており、該凹部２３と一般部との間には、引出時に手が掛けられる段差部２４が形成されている。この段差部２４は、中央部が上方の突出した弓形状に形成されており、この段差部２４に加えられる操作力が、当該引出１２をチェスト本体１１に支持する後述のレール２５に加えられるように構成されている。
【００１９】
そして、前記容器本体２１の両側部には、前記チェスト本体１１の側板１５，１５の内側面に設けられた図外のレールに支持されて、当該引出１２を前記チェスト本体１１にスライド自在に支持する金属製のレール２５が固定されており、上方開口状の容器本体２１は、このレール２５によって上縁部が補強されている。
【００２０】
このレール２５は、図３にも示すように、長尺状の金属板が折曲されて形成されてなり、下縁部には、前記引出１２側へ向けて延出するフランジ３１が設けられている。該フランジ３１の両端部には、ネジ挿通穴３２，３２が開設されており、当該フランジ３１の側縁からは、起立壁３３が起立している。該起立壁３３の上縁からは、前記引出１２から離れる方向へ向けて延出するガイド面３４が設けられており、該ガイド面３４の側縁には、下方へ屈曲された屈曲部３５が形成されている。前記ガイド面３４は、当該レール２５の一端部にて切欠されており、この切欠部３６における前記起立壁３３の部位には、一部が前記ガイド面３４より突出するローラ３７が回転自在に支持されている。
【００２１】
一方、前記容器本体２１は、図４にも示すように、長方形状の底面４１と、該底面４１の前縁より起立した前面４２と、前記底面４１の両側縁より起立した側面４３と、前記底面４１の後縁より起立した背面４４とによって上方開口状に形成されている。前記側面４３及び前記背面４４の上縁からは、図５にも示すように、外側へ向けて延出する外方延出面４５が形成されており、該延出面４５からは、下方へ向けて延出する下方延出面４６が形成されている。この下方延出面４６には、取り付けられたレール２５の起立壁３３に面接してレール２５の傾きを防止するとともに、前記側面４３及び前記背面４４の上縁部に折返しを形成して補強できるように構成されている。
【００２２】
この折返しは、前記両側面４３に形成された側方折返し部５１と、両側面４３後部から背面４４に渡って形成された後方折返し部５２とからなり、前記両側方折返し部５１と前記後方折返し部５２との間には、間隙５３が形成されている。前記側方折返し部５１の両端及び前記後方折返し部５２の両端には、図５に示したように、前記外方延出面４５，４５より下方に延出した上リブ５４，５４が形成されており、該上リブ５４，５４は、前記側面４３にも連設されている。
【００２３】
また、該側面４３には、前記側方折返し部５１と前記後方折返し部５２間の前記間隙５３の下部に、上下方向に延在する下リブ５５が形成されており、前記側方折返し部５１より前面４２側にも、上下方向に延在する下リブ５５が形成されている。両下リブ５５，５５の上端は、前記上リブ５４下端の高さ位置より低位置に設けられており、前記上リブ５４，・・・と下リブ５５，・・・とで前記レール２５のフランジ３１を上下から挟めるように構成されている。
【００２４】
前記フランジ３１を下面側から支持する前記下リブ５５，・・・の上端部に、前記フランジ３１に沿って延在する支持面６１，・・・が一体形成されており、該支持面６１が前記フランジ３１の下面に面接するように構成されている。
【００２５】
また、前記両側方折返し部５１，５１の前記外方延出面４５には、下方に延出した円筒状の螺入部７１が両端部に一体形成されている。この螺入部７１は、前記レール２５が取り付けられた状態で、前記フランジ３１に形成されたネジ挿通穴３２，３２と合致する位置に設けられており、螺入部７１下端が前記フランジ３１の上面の達する長さ寸法に設定されている。これにより、前記レール２５の前記フランジ３１を前記各リブ５４，・・・５５，・・・間に挟み込んだ状態で、前記フランジ３１の前記ネジ挿通穴３２，３２に挿通されたタッピンネジを前記螺入部７１，７１へ螺入できるように構成されている。
【００２６】
以上の構成にかかる本実施の形態において、合成樹脂製の引出１２に金属製のレール２５を固定する際には、該レール２５に設けられたフランジ３１を引出１２に設けられた上リブ５４，・・・と下リブ５５，・・・との間に挿入し、両リブ５４，・・・、５５，・・・で前記フランジ３１を上下から挟み込む。これにより、前記レール２５は引出１２に係止される。
【００２７】
このように、前記レール２５に設けられたフランジ３１を、引出１２に設けられた各リブ５４，・・・、５５，・・・間に挿入するだけで、両リブ５４，・・・、５５，・・・間に前記フランジ３１を上下から挟み込んだ状態で、前記レール２５を引出１２に係止することができる。これにより、合成樹脂製の引出１２に、金属製のレール２５を簡単に取り付けることができ、取付作業を容易に行うことができる。
【００２８】
また、前記レール２５に設けられたフランジ３１を上下から挟み込む各リブ５４，・・・、５５，・・・において、前記フランジ３１の下面を支持する下リブ５５，・・・の上端部には、前記フランジ３１に沿って延在する支持面６１，・・・が設けられている。
【００２９】
これにより、前記フランジ３１の固定状態の安定化を図ることができる。
【００３０】
そして、前記引出１２の両側方折返し部５１，５１の外方延出面４５には、下方に延出する螺入部７１が両端部に一体形成されており、この螺入部７１，７１は、前記レール２５のネジ挿通穴３２，３２と合致する位置に設けられている。
【００３１】
このため、前記レール２５のフランジ３１を各リブ５４，・・・、５５，・・・間に挟み込んだ状態で、前記フランジ３１のネジ挿通穴３２，３２にタッピンネジを挿通するとともに、該タッピンネジを前記螺入部７１，７１に螺入することによって、前記レール２５のフランジ３１を、前記引出１２の各リブ５４，・・・５５，・・・間に挟み込んだ状態でネジ止めすることができる。これにより、固定性を、さらに高めることができる。
【００３２】
【発明の効果】
以上説明したように、本発明の請求項１のレール固定部構造にあっては、合成樹脂製の引出に金属製のレールを固定する際に、該レールに設けられたフランジを、引出に設けられたリブに挿入するだけで、このリブで前記フランジを上下から挟み込んだ状態で、前記レールを引出に係止することができる。
【００３３】
これにより、合成樹脂製の引出に、金属製のレールを簡単に取り付けることができ、取付作業を容易に行うことができる。
【００３４】
また、請求項２のレール固定部構造では、レールに設けられたフランジを上下から挟み込むリブにおいて、前記フランジの下面を支持するリブの上端部に、前記フランジに沿って延在する支持面を設けたたため、フランジの固定状態の安定化を図ることができる。
【００３５】
さらに、請求項３のレール固定部構造では、フランジを挿通したネジが螺入される螺入部が引出に設けられており、前記ネジを前記螺入部に螺入することで、前記レールのフランジを、引出のリブに挟み込んだ状態で固定することができる。これにより、固定性を高めることができる。
【図面の簡単な説明】
【図１】本発明の一実施の形態を示す正面図である。
【図２】（ａ）は同実施の形態の平面図であり、（ｂ）は側面図である。
【図３】同実施の形態におけるレールを示す斜視図である。
【図４】同実施の形態における引出本体を示す側面図である。
【図５】同実施の形態における引出本体の折返し部分の断面を示す側面図である。
【符号の説明】
１    チェスト
１１    チェスト本体
１２    引出
２５    レール
３１    フランジ
３２    ネジ挿通穴
５４    上リブ
５５    下リブ
６１    支持面
７１    螺入部
【図１】
2004283288.tif 000003
【図２】
2004283288.tif 000004
【図３】
2004283288.tif 000005
【図４】
2004283288.tif 000006
【図５】
2004283288.tif 000007